(57)【要約】【課題】良好な結像性能を有する画像読取レンズを用いた画像読取装置、画像形成装置を得る。【解決手段】物体側から像側へ向けて順に、正の屈折力を持つ第１群、第２群、負の屈折力を持つ第３群、絞り、負の屈折力を持つ第４群、正の屈折力を持つ第５群、第６群を配してなる画像読取レンズにおいて、第１群、第２群は、物体側に凸面を向けた正メニスカス形状の第１、第２レンズ、第３群は、物体側に凸面を向けた正メニスカス形状の第３レンズと、像側に凹面を向けた負メニスカス形状の第４レンズとを接合し、第４群は、物体側に凹面を向けた負メニスカス形状の第５レンズ、第５群は、像側に凸面を向けた正メニスカス形状の第６レンズ、第６群は、像側に凸面を向けた正メニスカス形状の第７レンズからなり、ｆ１を第１群の焦点距離、ｆ２を第２群の焦点距離、ｎ１を第１レンズの屈折率、ｎ２を第２レンズの屈折率、ν１を第１レンズのアッベ数、ν２を第２レンズのアッベ数としたとき、所定の条件式を満足する。【選択図】図１
2012118332.tif 000002
【特許請求の範囲】
【請求項１】
物体側から像側へ向けて順に、正の屈折力を持つ第１群、正の屈折力を持つ第２群、負の屈折力を持つ第３群、絞り、負の屈折力を持つ第４群、正の屈折力を持つ第５群、正の屈折力を持つ第６群を配してなる画像読取レンズにおいて、
前記第１群は、前記物体側に凸面を向けた正メニスカス形状の第１レンズからなり、
前記第２群は、前記物体側に凸面を向けた正メニスカス形状の第２レンズからなり、
前記第３群は、前記物体側に凸面を向けた正メニスカス形状の第３レンズと、前記像側に凹面を向けた負メニスカス形状の第４レンズとを接合してなり、
前記第４群は、前記物体側に凹面を向けた負メニスカス形状の第５レンズからなり、
前記第５群は、前記像側に凸面を向けた正メニスカス形状の第６レンズからなり、
前記第６群は、前記像側に凸面を向けた正メニスカス形状の第７レンズからなり、
ｆ１を前記第１群の焦点距離、ｆ２を前記第２群の焦点距離、ｎ１を前記第１レンズの屈折率、ｎ２を前記第２レンズの屈折率、ν１を前記第１レンズのアッベ数、ν２を前記第２レンズのアッベ数としたとき、以下の条件式を満足することを特徴とする画像読取レンズ。
（１）０．９＜ｆ１／ｆ２＜２．２
（２）０．１３０＜ｎ１−ｎ２＜０．２９０
（３）−３８＜ν1−ν２＜−２５
【請求項２】
ｎ３を前記第３レンズの屈折率、ｎ４を前記第４レンズの屈折率、ν３を前記第３レンズのアッベ数、ν４を前記第４レンズのアッベ数としたとき、以下の条件式を満足することを特徴とする請求項１に記載の画像読取レンズ。
（４）−０．３６０＜ｎ３−ｎ４＜０．２９０
（５）３７＜ν３−ν４＜７３
【請求項３】
ｆ１２を前記第１群と第２群との合成焦点距離、ｆ５６を前記第５群と第６群との合成焦点距離としたとき、以下の条件式を満足することを特徴とする請求項１又は２に記載の画像読取レンズ。
（６）０．９１０＜ｆ１２／ｆ５６＜１．０６
【請求項４】
請求項１から３の何れか１項に記載の画像読取レンズを備えたことを特徴とする画像読取装置。
【請求項５】
請求項４に記載の画像読取装置を備えたことを特徴とする画像形成装置。
【発明の詳細な説明】
【技術分野】
【０００１】
本発明は、画像読取レンズ、画像読取装置、及びこれを備えた画像形成装置に関する。
【背景技術】
【０００２】
デジタル複写機やファクシミリの画像読取部やイメージスキャナは、読み取るべき原稿情報を画像読取レンズで縮小し、ＣＣＤ（Charge Coupled Device：電荷結合素子）のような撮像素子上に結像させて原稿情報を信号化する。また、原稿情報をカラーで読み取るために、例えば赤、緑、青のフィルタを各々持つ撮像素子を１つの基板上に３列配列してなる、いわゆる３ラインＣＣＤを用い、この撮像素子面に原稿情報を結像させることにより、３原色に色分解されてカラーの原稿情報を信号化する光学系がある。
【０００３】
このような画像読取レンズでは、一般的に像面である撮像素子上において、高空間周波数領域での高いコントラストが要求されるとともに、開口効率が画角周辺部まで１００％近くあることが要求されている。更に、カラー原稿を良好に読み取るために、像面上で赤、緑、青の各色の結像位置を光軸方向において合致させる必要があり、各色の色収差を良好に補正する必要がある。
【０００４】
従来、画素サイズが１４μｍ、１０μｍといった比較的画素サイズの大きいＣＣＤが用いられてきた。しかし現在では、画像読取装置の小型化のために４．７μｍの画素サイズのＣＣＤが使用されている。この画素サイズにおいて、読取密度６００ｄｐｉ（dot per inch）を実現しようとすると、結像倍率は０．１１１０２倍となる。この場合、像面側周波数１０２本／ｍｍの高解像度の読み取りが必要となってくる。さらに、ＣＣＤの画素サイズを小さくすると、電気信号に変換するための光量を多く必要とするため、従来よりもより大口径の画像読取レンズが要求される。
【発明の概要】
【発明が解決しようとする課題】
【０００５】
従来、高い画像品質が得られる画像読取レンズとしてはガウスタイプが用いられていた。しかしながら、この結像倍率、すなわち、０．１１１０２倍付近で用いられるガウスタイプでは、Ｆナンバ（以下、Ｆ値ともいう。） が４程度までであれば良好に像面湾曲の補正が可能でありコマフレアが抑えられるが、Ｆナンバが３．５程度になると補正が難しくなる。ここで、Ｆナンバ（Ｆ値）とは、レンズの明るさを示す指標であり、値が大きいほど暗く、小さいほど明るいことを示す。また、コマフレアとは、光束が非対称なボケを形成し、シャープさの低下をもたらすことをいう。
【０００６】
Ｆナンバが４．０以下の結像レンズとしては、例えば、特許文献１に記載されている変形ガウス型レンズなどが一般的に知られているが、特許文献１に記載の変形ガウス型レンズでは、結像倍率が０．１６５３５倍付近であって、ＣＣＤの画素サイズが７μｍの場合に６００ｄｐｉの読取密度が得られるにすぎず、画像読取装置の小型化のために４．７μｍの画素サイズのＣＣＤを用いた場合には、画素サイズの半分以下に倍率色収差を抑える必要があり、より色収差を補正した画像読取レンズが必要とされる。
【０００７】
ここで、レンズ材料の色収差（色分散）を評価する指標として、アッベ数なる数値が用いられる。一般的に、色収差の度合いが大きい（色分散が小さい）レンズ材料はアッベ数が小さく、色収差の度合いが小さい（色分散が大きい）レンズ材料はアッベ数が大きいといわれている。
【０００８】
そこで本発明は、上記問題点に鑑みてなされたもので、ＣＣＤの画素サイズが４．７μｍであっても、結像倍率が０．１１１０２倍付近で良好な結像性能が得られる変形ガウスタイプの画像読取レンズ、画像読取装置、及びこれを備えた画像形成装置を提供することを目的とする。
【課題を解決するための手段】
【０００９】
上記課題を解決するため、請求項１に記載の本発明における画像読取レンズは、物体側から像側へ向けて順に、正の屈折力を持つ第１群、正の屈折力を持つ第２群、負の屈折力を持つ第３群、絞り、負の屈折力を持つ第４群、正の屈折力を持つ第５群、正の屈折力を持つ第６群を配してなる画像読取レンズにおいて、前記第１群は、前記物体側に凸面を向けた正メニスカス形状の第１レンズからなり、前記第２群は、前記物体側に凸面を向けた正メニスカス形状の第２レンズからなり、前記第３群は、前記物体側に凸面を向けた正メニスカス形状の第３レンズと、前記像側に凹面を向けた負メニスカス形状の第４レンズとを接合してなり、前記第４群は、前記物体側に凹面を向けた負メニスカス形状の第５レンズからなり、前記第５群は、前記像側に凸面を向けた正メニスカス形状の第６レンズからなり、前記第６群は、前記像側に凸面を向けた正メニスカス形状の第７レンズからなり、ｆ１を前記第１群の焦点距離、ｆ２を前記第２群の焦点距離、ｎ１を前記第１レンズの屈折率、ｎ２を前記第２レンズの屈折率、ν１を前記第１レンズのアッベ数、ν２を前記第２レンズのアッベ数としたとき、以下の条件式を満足することを特徴とする。
（１）０．９＜ｆ１／ｆ２＜２．２
（２）０．１３０＜ｎ１−ｎ２＜０．２９０
（３）−３８＜ν1−ν２＜−２５
【００１０】
また、本発明における画像読取レンズは、請求項１に記載の画像読取レンズにおいて、ｎ３を前記第３レンズの屈折率、ｎ４を前記第４レンズの屈折率、ν３を前記第３レンズのアッベ数、ν４を前記第４レンズのアッベ数としたとき、以下の条件式を満足することを特徴とする。
（４）−０．３６０＜ｎ３−ｎ４＜０．２９０
（５）３７＜ν３−ν４＜７３
【００１１】
さらに、本発明における画像読取レンズは、請求項１又は２に記載の画像読取レンズにおいて、ｆ１２を前記第１群と第２群との合成焦点距離、ｆ５６を前記第５群と第６群との合成焦点距離としたとき、以下の条件式を満足することを特徴とする。
（６）０．９１０＜ｆ１２／ｆ５６＜１．０６
【００１２】
また、本発明における画像読取装置は、請求項１から３の何れか１項に記載の画像読取レンズを備えたことを特徴とする。
【００１３】
そして、本発明の画像形成装置は、請求項４に記載の画像読取装置を備えたことを特徴とする。
【発明の効果】
【００１４】
本発明によれば、結像倍率が０．１１１０２倍付近であって、ＣＣＤの画素サイズが４．７μｍであっても、６００ｄｐｉといった高密度読取を実現することができ、Ｆナンバ（Ｆ値）が４．０以下の十分な明るさを有し、色収差の度合いが大きい（色分散が小さい）画像読取レンズ、画像読取装置、及びこれを備えた画像形成装置を得ることができる。
【図面の簡単な説明】
【００１５】
【図１】本発明の実施形態における変形ガウスタイプレンズの基本構成を示す構造図である。
【図２】本発明の実施例１における変形ガウスタイプレンズの収差曲線図である。
【図３】本発明の実施例２における変形ガウスタイプレンズの収差曲線図である。
【図４】本発明の実施例３における変形ガウスタイプレンズの収差曲線図である。
【図５】本発明の実施例４における変形ガウスタイプレンズの収差曲線図である。
【図６】本発明の実施例５における変形ガウスタイプレンズの収差曲線図である。
【図７】本発明の実施形態における変形ガウスタイプレンズを画像読取レンズとして用いた画像読取装置の構成について説明する構造図である。
【図８】本発明に実施形態における変形ガウスタイプレンズを画像読取レンズとして用いた画像形成装置の構成を示す構造図である。
【発明を実施するための形態】
【００１６】
次に、本発明を実施するための形態について図面を参照して詳細に説明する。なお、各図中、同一又は相当する部分には同一の符号を付しており、その重複説明は適宜に簡略化乃至省略する。まず始めに、本発明の実施形態における変形ガウスタイプレンズの基本構成について説明する。図１は、本発明の実施形態における変形ガウスタイプレンズの基本構成を示す構造図である。
【００１７】
図１に示すように、本発明の実施形態における変形ガウスタイプレンズの構成は、物体側（図の左側）から像側（図の右側）に向かって、正の屈折力を持つ第１群、正の屈折力を持つ第２群、負の屈折力を持つ第３群、絞り、負の屈折力を持つ第４群、正の屈折力を持つ第５群、正の屈折力を持つ第６群が配置されている。
【００１８】
そして、第１群は、物体側に凸面を向けた正メニスカス形状の第１レンズ１からなり、第２群は、物体側に凸面を向けた正メニスカス形状の第２レンズ２からなり、第３群は、物体側に凸面を向けた正メニスカス形状の第３レンズ３と、像側に凹面を向けた負メニスカス形状の第４レンズ４とを接合してなり、第４群は、物体側に凹面を向けた負メニスカス形状の第５レンズ５からなり、第５群は、像側に凸面を向けた正メニスカス形状の第６レンズ６からなり、第６群は、像側に凸面を向けた正メニスカス形状の第７レンズ７からなり、全体で画像読取レンズを構成している。なお、図１において、ｎｄはレンズ材料の屈折率、νｄはレンズ材料のアッベ数、ｒはレンズ面の曲率半径、ｄは面間隔をそれぞれ意味する。
【００１９】
本発明の実施形態における画像読取レンズによれば、ｆ１を第１群の焦点距離、ｆ２を第２群の焦点距離、ｎ１を第１レンズの屈折率、ｎ２を第２レンズの屈折率、ν１を第１レンズのアッベ数、ν２を第２レンズのアッベ数をした場合に、下記に示す条件式を満足する。
【００２０】
０．９＜ｆ１／ｆ２＜２．２              （１）
０．１３０＜ｎ１−ｎ２＜０．２９０      （２）
−３８＜ν１−ν２＜−２５              （３）
【００２１】
条件式（１）記載の条件は、第１群と第２群との焦点距離の比の関係を示したものであり、条件式（１）の下限値を下回ると、球面収差が負側に倒れてしまい、また、上限値を超えると、高次の球面収差が発生しやすくなり、いずれの場合も良好な解像性能を得られなくなってしまう。
【００２２】
条件式（２）及び条件式（３）は、第１レンズと第２レンズとの間の屈折率とアッベ数の範囲を規制するものである。屈折率とアッベ数が、条件式（２）及び条件式（３）の範囲内であれば、軸外のコマ収差を抑制するという効果があり、条件式（２）及び条件式（３）において、上限値を超えると上側ゾーナル光線が負側に倒れ易く良好な解像性能が得られにくくなる。また、条件式（２）及び条件式（３）において、下限値を下回ると下側ゾーナル光線が負側に倒れやすく、同様に良好な解像性能が得られにくくなる。したがって、これらの条件式（２）及び条件式（３）を満足することにより、良好な結像性能を有する画像読取レンズを得ることができる。
【００２３】
次に、本発明の実施形態における画像読取レンズによれば、ｎ３を第３レンズの屈折率、ｎ４を第４レンズの屈折率、ν３を第３レンズのアッベ数、ν４を第４レンズのアッベ数とした場合に、下記に示す条件式を満足する。
【００２４】
−０．３６０＜ｎ３−ｎ４＜０．２９０    （４）
３７＜ν３−ν４＜７３                  （５）
【００２５】
条件式（４）及び条件式（５）は、第３レンズと第４レンズとの間の屈折率とアッベ数の範囲を規制するものである。条件式（４）の下限値を下回ると、ペッツバール和が大きくなり像面が負側に倒れ易くなる。一方、条件式（４）の上限値を超えると、ペッツバール和が小さくなり像面が正側に倒れ易くなる。また、条件式（５）の下限値を下回ると、軸上の色収差が発生しやすくなる一方、条件式（５）の上限値を超えると倍率の色収差が発生しやすくなり、良好な結像性能を得られにくくなる。したがって、これらの条件式（４）及び条件式（５）を満足することにより、良好な結像性能を有する画像読取レンズを得ることができる。
【００２６】
さらに、ｆ１２を第１群と第２群とを合成した焦点距離、ｆ６７を第５群と第６群を合成した焦点距離とした場合に、下記に示す条件式を満足する。
【００２７】
０．９１＜ｆ１２／ｆ５６＜１．０６      （６）
【００２８】
条件式（６）は、第１群と第２群との合成焦点距離と、第６群と第７群との合成焦点距離の比を規制するものであり、条件式（６）の下限値を下回ると、第１群及び第２群の屈折力を弱め、レンズの大型化を招くと共にディストーションが負側に倒れる傾向がある。一方、条件式（６）の上限値を超えると、同様に第５群及び第６群の屈折力を弱め、レンズの大型化を招くと共にディストーションが正側に倒れる傾向がある。この条件式（６）を満足することにより、画像読取レンズの小型、低コストが実現できる。
【００２９】
次に、本発明の具体的な実施例について以下説明する。各実施例における記号のそれぞれの意味は、次の通りである。
ｆ                  ：全系の合成焦点距離
ＦＮｏ              ：Ｆナンバ（Ｆ値）
ｍ                  ：結像倍率
Ｙ                  ：物体高
ｒ                  ：レンズ面の曲率半径
ｄ                  ：面間隔
ｎｄ                ：レンズ材料の屈折率
νｄ                ：レンズ材料のアッベ数
【実施例１】
【００３０】
ｆ＝５０．９９、ＦＮｏ＝３．３０、ｍ＝０．１１１０２、Ｙ＝１５２．４
【表１】
2012118332.tif 000003
この実施例１における収差曲線図を図２に示す。図２は、本発明の実施例１における変形ガウスタイプレンズの収差曲線図である。この収差図中のＣ線、Ｆ線、ｅ線、及びｇ線は、それぞれ、フラウンホーファー線のＣ線（６５６．２８１ｎｍ）、Ｆ線（４８６．１３４ｎｍ）、ｅ線（４３８．３５５ｎｍ）、及びｇ線（４３０．７９０ｎｍ）に対応する収差を表す。
【実施例２】
【００３１】
ｆ：５１．０５、ＦＮｏ＝３．３６、ｍ＝０．１１１０２、Ｙ＝１５２．４
【表２】
2012118332.tif 000004
この実施例２における収差曲線図を図３に示す。図３は、本発明の実施例２における変形ガウスタイプレンズの収差曲線図である。この収差図中のＣ線、Ｆ線、ｅ線、及びｇ線に関しては上述したとおりである。
【実施例３】
【００３２】
ｆ：５１．０２、ＦＮｏ＝３．４２、ｍ＝０．１１１０２、Ｙ＝１５２．４
【表３】
2012118332.tif 000005
この実施例３における収差曲線図を図４に示す。図４は、本発明の実施例３における変形ガウスタイプレンズの収差曲線図である。この収差図中のＣ線、Ｆ線、ｅ線、及びｇ線に関しては上述したとおりである。
【実施例４】
【００３３】
ｆ：５１．０２、ＦＮｏ＝３．５１、ｍ＝０．１１１０２、Ｙ＝１５２．４
【表４】
2012118332.tif 000006
この実施例４における収差曲線図を図５に示す。図５は、本発明の実施例４における変形ガウスタイプレンズの収差曲線図である。この収差図中のＣ線、Ｆ線、ｅ線、ｇ線に関しては上述したとおりである。
【実施例５】
【００３４】
ｆ：５０．９６、ＦＮｏ＝３．５１、ｍ＝０．１１１０２、Ｙ＝１５２．４
【表５】
2012118332.tif 000007
この実施例５における収差曲線図を図６に示す。図６は、本発明の実施例５における変形ガウスタイプレンズの収差曲線図である。この収差図中のＣ線、Ｆ線、ｅ線、及びｇ線に関しては上述したとおりである。
【００３５】
上記、各実施例１から５における値を、条件式（１）から（６）に代入して演算を行い、その結果を下表に示す。
【表６】
2012118332.tif 000008
この演算結果からも分かるように、本実施例１から５で用いた値を有する変形ガウスタイプレンズは、上記の条件式（１）から（６）をすべて満足する。
【００３６】
なお、条件式（１）における焦点距離ｆは、
ｎ：レンズ材質の屈折率
ｒ１：レンズ前面の曲率半径
ｒ２：レンズ後面の曲率半径
ｄ：レンズの厚さ
とした場合に、次式で算出される。
ｆ＝１／［（ｎ−１）＊（１／ｒ１−１／ｒ２）＋（ｎ−１）2＊ｄ／（ｎ＊ｒ１＊ｒ２）］                                 （７）
【００３７】
また、条件式（６）における合成焦点距離ｆｓは、
ｆ１、ｆ２：それぞれのレンズの焦点距離
ｄ：レンズ間距離
とした場合に、次式で算出される。
ｆｓ＝ｆ１＊ｆ２／（ｆ１＋ｆ２−ｄ）  （８）
【００３８】
そして、上記条件式（１）から（６）をすべて満たす変形ガウスタイプレンズ（画像読取レンズ）はすべてガラスレンズとし、砒素、鉛等の有害物質を含有していないものとする。これにより、画像読取レンズの材料のリサイクル化が可能となり、加工時の廃液による水質汚染等を生じることもなく地球環境保全に大いに貢献することが可能となる。
【００３９】
次に、本発明の実施形態における変形ガウスタイプレンズを画像読取レンズとして用いた画像読取装置の構成について説明する。図７は、本発明の実施形態における変形ガウスタイプレンズを画像読取レンズとして用いた画像読取装置の構成について説明する構造図である。
【００４０】
図７において、画像読取装置２００は、原稿載置ガラス３１、第１走行体３３、第２走行体３４、画像読取レンズ３５、撮像素子３６とから構成されている。そして、画像を読み取られる原稿３２は、原稿載置ガラス３１の上面に平面的に定置される。第１走行体３３は、図面に直交する方向を長手方向とし、原稿載置ガラス３１の原稿載置面に対して表面を４５度傾けたミラー３３ｃを保持し、符号３３で示す位置から符号３３’で示す位置まで一定速度Ｖで移動する。
【００４１】
第１走行体３３はまた、照明手段として、図面に直交する方向を長手方向とする蛍光ランプ３３ａ及び反射鏡３３ｂを保持している。蛍光ランプ３３ａは、第１走行体３３が図面の右側へ移動するときに発光し、原稿載置ガラス３１上の原稿３２を照明する。したがって、第１走行体３３が符号３３’で示す位置まで変位する間に原稿３２は照明走査される。
【００４２】
蛍光ランプ３３ａとしては、ハロゲンランプや、キセノンランプ、冷陰極管等の管灯を用いても構わないし、ＬＥＤ（Light Emitting Diode）等の点光源を用いて一列に並べたもの、若しくは点光源を線光源に変換する導光体を用いた線状光源を用いることも可能であり、さらには有機ＥＬ（Electro Luminescence）に代表される面発光光源を用いることも可能である。
【００４３】
第２走行体３４は、図面に直交する方向に長く、表面を互いに直交的に傾けた１対のミラー３４ａ、３４ｂを保持し、第１走行体３３の移動に同期して符号３４’で示す位置まで一定速度：Ｖ／２で移動する。
【００４４】
原稿３２が照明走査されるとき、原稿３２の被照明部からの反射光は第１走行体３３のミラー３３ｃにより反射され、第２走行体３４のミラー３４ａ、３４ｂで順次反射され、結像光束として画像読取レンズ３５に入射する。このとき、第１走行体３３と第２走行体３４の速度比が２：１となっているので、原稿被照明部から画像読取レンズ３５に至る光路長が一定に保たれる。
【００４５】
画像読取レンズ３５に入射した結像光束は、画像読取レンズ３５の結像作用により、撮像素子３６の受光面に原稿３２の縮小像を結像する。撮像素子３６はＣＣＤラインセンサであり、微小な図示しない光電変換部が図面に直交する方向へ密接して配列しており、原稿３２の照明走査に伴い、原稿画像を画素単位の電気信号として出力する。この電気信号は図示しないＡ／Ｄ変換等の信号処理を受けて画像信号となり、必要に応じて図示しないメモリに記憶される。
【００４６】
なお、撮像素子３６は、結像画像を３色（赤、緑、青）に色分解して色情報を読み取ることができ、各光電変換部で変換された電気信号を合成することでカラー原稿を読み取ることができる。
図７に示した画像読取レンズ３５に本発明の実施形態における変形ガウスタイプレンズを用いることで小型化が可能となる。
【００４７】
次に、本発明の実施形態における変形ガウスタイプレンズを画像読取レンズとして用いた画像読取装置を備えた画像形成装置の構成について説明する。図８は、本発明に実施形態における変形ガウスタイプレンズを画像読取レンズとして用いた画像形成装置の構成を示す構造図である。
【００４８】
この画像形成装置３００は、上部に位置する画像読取装置２００と、その下位に位置する画像形成部１００とを有する。画像読取装置２００の各部分は、図７に即して説明したものと同様のものであり、各部には図７と同じ符号を付してある。
【００４９】
画像読取装置２００における３ラインのＣＣＤラインセンサであるラインセンサ（撮像素子）３６から出力される画像信号は信号処理部１２０に送られ、信号処理部１２０において処理されて、書込み用の信号（イエロー、マゼンタ、シアン、及び黒の各色を書き込むための信号）に変換される。
【００５０】
画像形成部１００は、潜像担持体として円筒状に形成された光導電性の感光体１１０を有し、その周囲に、帯電手段としての帯電ローラ１１１、リボルバ式の現像装置１１３、転写ベルト１１４、クリーニング装置１１５が配設されている。帯電手段としては帯電ローラ１１１に代えてコロナチャージャを用いることもできる。
【００５１】
信号処理部１２０から書き込み用の信号を受けて、光走査により感光体１１０に書き込みを行う光走査装置１１７は、帯電ローラ１１１と現像装置１１３との間において感光体１１０の光走査を行うようになっている。
【００５２】
画像形成部１００の下部には、定着装置１１６、カセット１１８、レジストローラ対１１９、給紙コロ１２２、トレイ１２１がそれぞれ設けられ、記録媒体としての転写紙Ｓに画像が形成され、トレイ１２１から排出される。
【００５３】
画像形成を行うときは、光導電性の感光体１１０が時計回りに等速回転し、その表面が帯電ローラ１１１により均一に帯電され、光走査装置１１７のレーザビームの光書き込みによる露光を受けて静電潜像が形成される。形成された静電潜像はいわゆる「ネガ潜像」であって、画像部が露光されている。
【００５４】
画像の書込みは、感光体１１０の回転にしたがい、イエロー画像、マゼンタ画像、シアン画像、及び黒画像の順に行われ、形成された静電潜像はリボルバ式の現像装置１１３の各現像ユニットＹ（イエロートナーによる現像）、Ｍ（マゼンタトナーによる現像）、Ｃ（シアントナーによる現像）、及びＫ（黒トナーによる現像）により順次反転現像されて「ポジ画像」として可視化され、得られた各色のトナー画像は、転写ベルト１１４上に、転写電圧印加ローラ１１４Ａにより順次転写され、上記各色トナー画像が転写ベルト１１４上で重ね合わせられてカラー画像となる。
【００５５】
転写紙Ｓを収納したカセット１１８は、画像形成部１００本体に脱着可能であり、図８のごとく装着された状態において、収納された転写紙Ｓの最上位の１枚が給紙コロ１２２により給紙され、給紙された転写紙Ｓはその先端部をレジストローラ対１１９に捕えられる。
【００５６】
レジストローラ対１１９は、転写ベルト１１４上のトナーによるカラー画像が転写位置へ移動するタイミングに合わせて転写紙Ｓを転写部へ送り込む。送り込まれた転写紙Ｓは、転写部においてカラー画像と重ね合わせられ、転写ローラ１１４Ｂの作用によりカラー画像を静電転写される。転写ローラ１１４Ｂは、転写時に転写紙Ｓをカラー画像に押圧させる。
【００５７】
カラー画像を転写された転写紙Ｓは定着装置１１６へ送られ、定着装置１１６においてカラー画像が定着され、図示しないガイド手段による搬送路を通り、図示しない排紙ローラ対によりトレイ１２１上に排出される。各色トナー画像が転写される度に、感光体１１０の表面はクリーニング装置１１５によりクリーニングされ、残留トナーや紙粉等が除去される。
【００５８】
なお、図８においては、本発明の実施形態における変形ガウスタイプレンズを画像読取レンズとして用いた画像読取装置を備えたカラー画像形成装置について説明したが、本発明の実施形態における変形ガウスタイプレンズを画像読取レンズをとして用いた画像読取装置を、モノクロ画像形成装置に備えても良いことはもちろんである。
【００５９】
以上、本発明の好適な実施の形態により本発明を説明した。ここでは特定の具体例を示して本発明を説明したが、特許請求の範囲に定義された本発明の広範囲な趣旨及び範囲から逸脱することなく、これら具体例に様々な修正及び変更が可能である。
【符号の説明】
【００６０】
１００                  画像形成部
１１０                  感光体
１１１                  帯電ローラ
１１３                  現像装置
１１４                  転写ベルト
１１４Ａ                転写電圧印加ローラ
１１４Ｂ                転写ローラ
１１５                  クリーニング装置
１１６                  定着装置
１１７                  光走査装置
１１８                  カセット
１１９                  レジストローラ対
１２０                  信号処理部
１２１                  トレイ
１２２                  給紙コロ
２００                  画像読取装置
３１                    原稿載置ガラス
３２                    原稿
３３                    第１走行体
３３ａ                  蛍光ランプ
３３ｂ                  反射鏡
３３ｃ、３４ａ、３４ｂ  ミラー
３４                    第２走行体
３５                    画像読取レンズ
３６                    撮像素子
３００                  画像形成装置
【先行技術文献】
【特許文献】
【００６１】
【特許文献１】特開平１０−３３３０２８号公報
【図１】
2012118332.tif 000009
【図２】
2012118332.tif 000010
【図３】
2012118332.tif 000011
【図４】
2012118332.tif 000012
【図５】
2012118332.tif 000013
【図６】
2012118332.tif 000014
【図７】
2012118332.tif 000015
【図８】
2012118332.tif 000016